(57)【要約】【課題】型枠内にアンカーボルトセットをセットするときに、上記型枠内に既に組まれている鉄筋との干渉が生じ難いようにする。【解決手段】上記アンカーボルトセット１は、図２にも示すように、上記アンカー部３を２本有しており、上記２本のアンカー部３の下端側は上端側に比べて相互に広がった構造を有している。上記支持部材２は、例えば、図３にも示すように、６面体形状を有する金属製のブロック体からなっている。そして、この支持部材２には、中央位置において鉛直方向に貫通するボルト部４用のタップ孔２１が形成されており、このタップ孔２１を挟んで両側の２か所には、下側ほど互いに離間する斜め方向にアンカー用タップ孔２２，２２が形成されている。【選択図】図３
2019052418.tif 000002
【特許請求の範囲】
【請求項１】
複数のアンカー部を有しており、上記複数のアンカー部の下端側が上端側に比べて相互に広がるアンカーボルトセットであって、上記複数のアンカー部を支持する支持部材に対して上記複数のアンカー部のうち少なくとも１つが着脱可能に設けられていることを特徴とするアンカーボルトセット。
【請求項２】
複数のアンカー部を有しており、上記複数のアンカー部の下端側が上端側に比べて相互に広がるアンカーボルトセットであって、上記複数のアンカー部を支持する支持部材に対して上記複数のアンカー部のうち少なくとも１つが揺動可能に設けられていることを特徴とするアンカーボルトセット。
【請求項３】
請求項２に記載のアンカーボルトセットにおいて、上記支持部材には、上記揺動可能なアンカー部の上端部を、その下端側が広がる方向に押圧する押圧部が備えられていることを特徴とするアンカーボルトセット。
【請求項４】
請求項２または請求項３に記載のアンカーボルトセットにおいて、上記揺動可能なアンカー部の上端部を斜めに支持するための傾斜部が設けられていることを特徴とするアンカーボルトセット。
【請求項５】
請求項１〜請求項４のいずれか１項に記載のアンカーボルトセットにおいて、上記支持部材が平面視で略Ｌ字形状を有し、３本のアンカー部が設けられることを特徴とするアンカーボルトセット。
【請求項６】
請求項１〜請求項５のいずれか１項に記載のアンカーボルトセットにおいて、基礎上面より出るボルト部が上記支持部材に対して着脱可能に設けられていることを特徴とするアンカーボルトセット。
【発明の詳細な説明】
【技術分野】
【０００１】
この発明は、複数のアンカー部を有するアンカーボルトセットに関する。
【背景技術】
【０００２】
特許文献１には、コンクリート中に固定される埋設部と、外部に露出する緊結部を備え、埋設部を二股に形成してその頂部に緊結部を一体に設けたアンカーボルトが開示されている。また、上記埋設部が鉄筋コンクリート用棒鋼を逆Ｖ字形に屈曲してその頂部に緊結部の基部を固定することも開示されている。さらには、上記緊結部が取り外せることも開示されている。
【先行技術文献】
【特許文献】
【０００３】
【特許文献１】特開２００３−１２９５７４号公報
【発明の概要】
【発明が解決しようとする課題】
【０００４】
しかしながら、上記特許文献１に開示されたアンカーボルトでは、二股に屈曲されているために、このアンカーボルトを型枠内にセットするときに、上記型枠内に既に組まれている鉄筋と干渉し、適切にセットできない場合がある。
【０００５】
この発明は、上記の事情に鑑み、型枠内にセットするときに、上記型枠内に既に組まれている鉄筋との干渉が生じ難いアンカーボルトセットを提供することを課題とする。
【課題を解決するための手段】
【０００６】
この発明のアンカーボルトセットは、上記の課題を解決するために、複数のアンカー部を有しており、上記複数のアンカー部の下端側が上端側に比べて相互に広がるアンカーボルトセットであって、上記複数のアンカー部を支持する支持部材に対して上記複数のアンカー部のうち少なくとも１つが着脱可能に設けられていることを特徴とする。
【０００７】
上記の構成であれば、上記複数のアンカー部を支持する支持部材に対して上記複数のアンカー部のうち少なくとも１つが着脱可能に設けられているので、上記アンカー部が上記型枠内に既に組まれている鉄筋と干渉することがあっても、上記アンカー部を支持部材から外し、残余の部分を鉄筋との干渉を避けながら型枠上にセットし、その後に、上記外した上記アンカー部を上記支持部材に取り付けることができる。また、上記支持部材として上記広がりの角度が異なる複数の種類を用意しておき、鉄筋と干渉しない広がり角度となる支持部材を選択してアンカーボルトセットを設置することも可能となる。さらに、上記残余の部分は本来のアンカーボルトセットの重量よりも軽くなるので、アンカーボルトセットを設置する作業負担も軽減される。
【０００８】
また、この発明のアンカーボルトセットは、複数のアンカー部を有しており、上記複数のアンカー部の下端側が上端側に比べて相互に広がるアンカーボルトセットであって、上記複数のアンカー部を支持する支持部材に対して上記複数のアンカー部のうち少なくとも１つが揺動可能に設けられていることを特徴とする。
【０００９】
上記の構成であれば、上記複数のアンカー部を支持する支持部材に対して上記複数のアンカー部のうち少なくとも１つが揺動可能に設けられているので、上記アンカー部が上記型枠内に既に組まれている鉄筋と干渉することがあっても、上記アンカー部を揺動させて上記広がりの角度を狭くし、鉄筋との干渉を避けながら型枠上にセットし、その後に、上記アンカー部を揺動させて上記広がりの角度を適切に調整することができる。
【００１０】
上記支持部材には、上記揺動可能なアンカー部の上端部を、その下端側が広がる方向に押圧する押圧部が備えられていてもよい。これによれば、上記押圧部の操作で簡単に上記揺動可能なアンカー部の広がりの角度を調整できる。また、上記支持部材はアンカーボルトセットの上部側に存在するので、上記押圧部に対する操作も行い易い。
【００１１】
上記揺動可能なアンカー部の上端部を斜めに支持するための傾斜部が設けられていてもよい。これによれば、上記傾斜部によって上記揺動可能なアンカー部を簡単に所定の角度に広げることができる。
【００１２】
上記支持部材が平面視で略Ｌ字形状を有し、３本のアンカー部が設けられてもよい。このようなアンカーボルトセットは、基礎のコーナー部において好適に用いることができる。
【００１３】
基礎上面より出るボルト部が上記支持部材に対して着脱可能に設けられていてもよい。これによれば、残余の部分を本来のアンカーボルトセットの重量よりもさらに軽くできる。
【発明の効果】
【００１４】
本発明であれば、アンカーボルトセットを型枠内にセットするときに、型枠内に既に組まれている鉄筋との干渉を生じ難くできるという効果を奏する。
【図面の簡単な説明】
【００１５】
【図１】本発明の実施形態に係るアンカーボルトセットを用いたコンクリート基礎を示した図であって、同図（Ａ）は平面による概略の説明図、同図（Ｂ）はＡ−Ａ矢視の概略の説明図、同図（Ｃ）はＢ−Ｂ矢視の概略の説明図である。
【図２】図１のアンカーボルトセットによる引き抜き耐力の影響範囲を示すとともに、参考として従来のアンカーボルト２本による引き抜き耐力の影響範囲を示した説明図である。
【図３】図１のアンカーボルトセットの支持部材へのアンカー部の取り付けを示した説明図である。
【図４】他の実施形態のアンカーボルトセットの上部側を示した説明図である。
【図５】他の実施形態のアンカーボルトセットを用いたコンクリート基礎のコーナー部を示した図であって、同図（Ａ）は平面による概略の説明図および部分拡大図を示しており、同図（Ｂ）はＣ−Ｃ矢視の概略の説明図である。
【図６】他の実施形態のアンカーボルトセットのアンカー部の揺動動作を示した説明図である。
【発明を実施するための形態】
【００１６】
以下、この発明の実施の形態を添付図面に基づいて説明する。
図１（Ａ）、図１（Ｂ）および図１（Ｃ）に示すように、この実施形態にかかるアンカーボルトセット１は、例えば、コンクリート基礎８に埋め込まれ、柱脚等を支持固定するのに用いられる。このアンカーボルトセット１は、その支持部材２の下側に複数（例えば２本）のアンカー部３を備えており、上記支持部材２の上側に１本のボルト部４を備えている。
【００１７】
上記アンカーボルトセット１の上記支持部材２およびアンカー部３は、上記コンクリート基礎８内に位置し、上記ボルト部４は、上記コンクリート基礎８の上面から突出している。また、上記コンクリート基礎８内には、上側主筋８１、下側主筋８２、縦筋８３等が設けられている。上記コンクリート基礎８は、図示しない型枠内に上記上側主筋８１、下側主筋８２、縦筋８３等が組まれた状態で、且つ、上記アンカーボルトセット１が図示しない定規等で支持された状態で、上記型枠内にコンクリートが打設されて作製される。
【００１８】
上記アンカーボルトセット１は、図２にも示すように、上記アンカー部３を２本有しており、上記２本のアンカー部３の下端側は上端側に比べて相互に広がる構造を有している。参考図として仮想線で囲んだある図面は、単に２本のアンカーボルト９１を鉛直に設けたコンクリート基礎９を示しているが、このようなコンクリート基礎９で上記２本のアンカーボルト９１の引き抜き耐力に影響する基礎上面の範囲（ハッチング部参照）と同等の基礎上面の範囲を、上記１本のアンカーボルトセット１で得ることができる。また、仮に、上記２本のアンカーボルト９１を支持部材に着脱可能に設けようとすると、上記支持部材は上記支持部材２に比べて長く重いものになる。換言すれば、上記アンカーボルトセット１であれば、上記ボルト部４を１本にして上記支持部材２の大きさを極力小さくしつつ、複数の一般アンカーボルトを並列して設けるのと同等の引き抜き耐力を得ることができるようになる。
【００１９】
上記支持部材２は、例えば、図３にも示すように、平面視が長方形の６面体形状を有する金属製のブロック体からなっている。そして、この支持部材２の中央位置には、鉛直方向に貫通するボルト用タップ孔２１が形成されており、このタップ孔２１を挟んで長手方向の両側の２か所には、下側ほど互いに離間する斜め方向にアンカー用タップ孔２２，２２が形成されている。
【００２０】
上記ボルト部４は、例えば、現場において、上記ボルト用タップ孔２１にねじ込むことができる。もちろん、上記ボルト部４が上記ボルト用タップ孔２１にねじ込まれた状態で現場に搬送されてもよいし、上記ボルト部４が上記ボルト用タップ孔２１に固定状態に設けられた形態としてもよいものである。
【００２１】
上記アンカー部３の上部には螺子部が形成されており、この螺子部を上記アンカー用タップ孔２２にねじ込むことができる。このようにねじ込まれた２本のアンカー部３は、下端側が上端側に比べて相互に広がるように配置される。なお、２本のアンカー部３の両方が上記支持部材２に着脱されることに限定されず、少なくとも１つが上記支持部材２に着脱可能に設けられていればよい。また、上記２本のアンカー部３の1本が鉛直配置され、他の1本が傾斜配置されていてもよく、このようなアンカーボルトセット１は基礎８の端部において用いることができる。
【００２２】
上記の構成であれば、上記複数のアンカー部３を支持する支持部材２に対して上記複数のアンカー部３のうち少なくとも１つが着脱可能に設けられているので、上記アンカー部３が上記型枠内に既に組まれている鉄筋（上側主筋８１、下側主筋８２、縦筋８３等）と干渉することがあっても、上記アンカー部３を支持部材２から外し、残余の部分を上記鉄筋との干渉を避けながら型枠上にセットし、その後に、上記外した上記アンカー部３を上記支持部材２に取り付けることができる。また、上記支持部材２として上記アンカー用タップ孔２２の広がり角度が異なる複数の種類を用意しておき、上記鉄筋と干渉しない広がり角度の支持部材２を選択してアンカー部３を取り付けたアンカーボルトセット１を設置することも可能となる。さらには、上記残余の部分は本来のアンカーボルトセット１の重量よりも軽くなるので、アンカーボルトセット１を設置する作業負担も軽減される。
【００２３】
図４にアンカーボルトセット１の他の例を示す。このアンカーボルトセット１の支持部材２Ａは、３個の円錐形状の長ナット２３を、１つの鉛直面内に配置しその小径側を上にして互いに溶接固定したものである。中央の長ナット２３の上側には上記ボルト部４がねじ込まれる。また、両側の長ナット２３の下側には上記アンカー部３の上端部がねじ込まれる。このような長ナット２３を用いた支持部材２Ａは支持部材２に比べて比較的安価に作製することができる。また、上記支持部材２Ａを有するアンカーボルトセット１においても、上記ボルト部４を固定的に設けてもよい。
【００２４】
図５（Ａ）および図５（Ｂ）にコンクリート基礎８のコーナー部を示す。このコーナー部において用いられるアンカーボルトセット１は、平面視で略Ｌ字形状のブロック部材からなる支持部材２Ｂを備えている。この支持部材２Ｂには、例えば、中心を結ぶ線が三角形をなすように３つのタップ孔が形成されている。中央位置のタップ孔は、鉛直方向に形成されており、例えば、このタップ孔に螺合されたアンカー部３の上端螺子部を上に突き出してボルト部４Ａとすることができる。また、上記中央位置のタップ孔に隣接するタップ孔は、中央位置のタップ孔に対して下側ほど離間していくように斜め方向に形成されており、この傾斜タップ孔にアンカー部３の螺子部が螺合さる。すなわち、この例では、１個の支持部材２Ｂによって３本のアンカー部３が三角状に配置され、上記３本のアンカー部３はコンクリート基礎８の延設方向に平行で当該コンクリート基礎８のセンターを通る鉛直面内に存在することになる。なお、上記３本のアンカー部３の全てが上記支持部材２に着脱されることに限定されず、少なくとも１つが上記支持部材２Ｂに着脱可能に設けられていればよい。
【００２５】
このような支持部材２Ｂを備えるアンカーボルトセット１であれば、上記支持部材２、２Ａを用いるアンカーボルトセット１によって得られる効果と同様の効果を上記基礎８のコーナー部において得ることができる。
【００２６】
上記支持部材２Ｂにおいて、上記鉛直面内で水平方向に突出するように水平方向アンカーボルト２５を設けてもよい。例えば、上記支持部材２Ｂには、上記鉛直面に直交する側面部が形成されており、この側面部に形成された螺子孔に上記水平方向アンカーボルト２５が螺合される。
【００２７】
なお、図４に示したアンカーボルトセット１についても、中央の長ナット２３と各隣の長ナット２３との中心線を含む各面が互いに直交するように上記３個の長ナット２３を溶接するとともに３本のアンカー部３を設けるようにしてもよい。
【００２８】
図６にアンカーボルトセット１Ａを示す。このアンカーボルトセット１Ａは、複数のアンカー部３Ａ（この例では２本）を有しており、上記複数のアンカー部３Ａの下端側が上端側に比べて相互に広がることができるように、上記複数のアンカー部３を支持する支持部材２Ｃに対して上記複数のアンカー部３Ａがその上端側を支点にそれぞれ揺動可能に設けられている。なお、複数のアンカー部３Ａの全てが揺動可能に設けられることに限定されず、上記複数のアンカー部３Ａの少なくとも１つが揺動可能であればよい。
【００２９】
上記支持部材２Ｃのベース板２０１には、上記アンカー部３Ａの揺動を許容する孔が形成されており、上記アンカー部３Ａの上端側の螺子部がベース板２０１の上方側に突出される。そして、この突出された螺子部にナット３１が螺合されている。また、上記ナット３１のワッシャ部の下面には上記揺動可能なアンカー部３Ａの上端部を斜めに支持するための傾斜部３１ａが形成されている。なお、上記ベース板２０１の上面に上記傾斜部が設けられていてもよい。
【００３０】
上記ベース板２０１上には４側面を有する方形箱状部材２０２が溶接により固定されている。そして、上記４側面のうち、上記アンカー部３Ａの揺動面と直交する２側面に、上記揺動可能なアンカー部３Ａの上端部を、その下端側が広がる方向に押圧するボルト（押圧部）３２が螺合されている。
【００３１】
上記方形箱状部材２０２の上面には天板部２０３が溶接により固定されている。上記天板部２０３には、ボルト部４をなす頭部付きのボルトが頭部を下にして螺合されている。
【００３２】
上記のアンカーボルトセット１Ａであれば、上記複数のアンカー部３Ａを支持する支持部材２Ｃに対して上記複数のアンカー部３Ａのうち少なくとも１つが揺動可能に設けられているので、上記アンカー部３Ａが上記型枠内に既に組まれている鉄筋と干渉することがあっても、上記アンカー部３Ａを揺動させて上記広がりの角度を狭め、鉄筋との干渉を避けながら型枠上にセットし、その後に、上記アンカー部を揺動させて上記広がりの角度を広げる調整をすることができる。
【００３３】
また、上記揺動可能なアンカー部３Ａの上端部を、その下端側が広がる方向に押圧する押圧部（ボルト３２）が備えられていると、上記押圧部の操作で簡単に上記揺動可能なアンカー部３Ａの揺動角度を調整できる。
【００３４】
また、上記揺動可能なアンカー部３Ａの上端部を斜めに支持するための傾斜部３１ａが設けられていると、上記傾斜部によって上記揺動可能なアンカー部３Ａを簡単に所定の角度に広げることができる。
【００３５】
なお、上記アンカーボルトセット１Ａについても、上記支持部材２Ｃにおける平面視の形状を略Ｌ字形状とし、３本設けるアンカー部の１本を鉛直配置で固定とし、この固定のアンカー部の両側に、上記揺動可能なアンカー部３Ａをそれぞれ配置するようにしてもよい。このようなアンカーボルトセット１Ａもコンクリート基礎８のコーナー部において好適に設けることができる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１        ：アンカーボルトセット
１Ａ      ：アンカーボルトセット
２        ：支持部材
２Ａ      ：支持部材
２Ｂ      ：支持部材
２Ｃ      ：支持部材
３        ：アンカー部
３Ａ      ：アンカー部
４        ：ボルト部
４Ａ      ：ボルト部
８        ：コンクリート基礎
９        ：コンクリート基礎
２１      ：ボルト用タップ孔
２２      ：アンカー用タップ孔
２３      ：長ナット
２５      ：水平方向アンカーボルト
３１      ：ナット
３１ａ    ：傾斜部
８１      ：上側主筋
８２      ：下側主筋
８３      ：縦筋
９１      ：アンカーボルト
２０１    ：ベース板
２０２    ：方形箱状部材
２０３    ：天板部
【図１】
2019052418.tif 000003
【図２】
2019052418.tif 000004
【図３】
2019052418.tif 000005
【図４】
2019052418.tif 000006
【図５】
2019052418.tif 000007
【図６】
2019052418.tif 000008